(57)【特許請求の範囲】
【請求項１】
圧縮機、凝縮器、第１膨張手段及び熱交換器を有する蒸発器が冷媒配管によって接続されて冷凍サイクル回路を構成する冷凍サイクル装置であって、
前記蒸発器の下方に配置されるドレンパンと、
前記蒸発器に流れる気流を発生させる蒸発器用ファンと、
伝熱フィンの下側で、且つ前記伝熱フィンの風下側の位置に配置された加熱部と、
を備え、
前記伝熱フィンには滑水又は撥水処理が施され、
前記加熱部は、少なくとも一部が前記冷媒配管によって形成され、前記加熱部となる部分の前記冷媒配管には、前記伝熱フィンが並列配置された方向に配置された複数のフィン部が取り付けられている冷凍サイクル装置。
【請求項２】
前記加熱部は、前記蒸発器及び前記ドレンパンに接しないように配置された請求項１に記載の冷凍サイクル装置。
【請求項３】
前記加熱部は、前記伝熱フィンが並列配置された方向に沿って配置された請求項１又は請求項２記載の冷凍サイクル装置。
【請求項４】
前記加熱部は、各フィン部が前記蒸発器の前記伝熱フィンの間に入り込むようにして構成された請求項１〜請求項３のいずれか一項に記載の冷凍サイクル装置。
【請求項５】
前記蒸発器用ファンは、前記蒸発器から前記蒸発器用ファンへ向かう方向に送風するように配置された請求項１〜請求項４のいずれか一項に記載の冷凍サイクル装置。
【請求項６】
低外気条件が充足していることを検出する低外気検出手段を備え、
前記加熱部は、少なくとも一部が、ヒーターによって構成され、
前記低外気検出手段によって、前記低外気条件が充足していることが検出された場合に、前記ヒーターを駆動させる請求項１〜請求項５のいずれか一項に記載の冷凍サイクル装置。
【請求項７】
前記第１膨張手段と前記蒸発器との間の前記冷媒配管に設置された第２膨張手段をさらに備え、
前記加熱部は、少なくとも一部が、前記第１膨張手段と前記第２膨張手段との間の前記冷媒配管によって形成された請求項１〜請求項５のいずれか一項に記載の冷凍サイクル装置。
【請求項８】
前記第１膨張手段と前記凝縮器との間の前記冷媒配管に設置され、前記第１膨張手段から前記凝縮器へ向かう方向のみ冷媒を流す第１逆止弁と、
該第１逆止弁と前記凝縮器とを接続する前記冷媒配管から分岐した前記冷媒配管に設置された第２逆止弁と、
を備え、
前記加熱部は、少なくとも一部が、前記第２逆止弁と、前記第１膨張手段と前記第１逆止弁とを接続する前記冷媒配管とを接続する前記冷媒配管の一部によって形成され、
前記第２逆止弁は、前記分岐した部分から前記加熱部へ向かう方向のみ冷媒を流す請求項１〜請求項５のいずれか一項に記載の冷凍サイクル装置。
【請求項９】
前記加熱部は、少なくとも一部が、前記圧縮機の吐出側の前記冷媒配管から分岐し、前記第１膨張手段と前記凝縮器とを接続する前記冷媒配管に接続する冷媒配管であるホットガスバイパス配管の一部によって形成され、
該ホットガスバイパス配管に設置された開閉機構を備えた請求項１〜請求項５のいずれか一項に記載の冷凍サイクル装置。
【請求項１０】
前記冷媒は、Ｒ３２である請求項９記載の冷凍サイクル装置。
【請求項１１】
前記冷媒は、Ｒ３２とＨＦＯ１２３４ｙｆとの混合冷媒である請求項９に記載の冷凍サイクル装置。
【発明の詳細な説明】
【技術分野】
【０００１】
本発明は、撥水又は滑水処理を施したフィンを用いた熱交換器に発生した霜を融解させる加熱部を有する冷凍サイクル装置に関する。
【背景技術】
【０００２】
冷凍サイクル装置である空気調和機は、暖房運転を行う際に室外機に備えられた室外熱交換器を蒸発器として動作させることにより、室外の空気（外気）から吸熱し、その熱を室内機へと汲み上げて暖房運転を実施している。【０００３】
そのため、例えば外気温度が低い場合（例えば、ＪＩＳ暖房低温条件において乾球温度２℃、及び、湿球温度１℃の場合）、室外熱交換器の表面温度は０℃以下となり、室外熱交換器へ流入する空気中の水分が室外熱交換器表面上で霜となって付着する着霜現象が生じる（以下、この着霜現象が生じる外気温度の条件を「低外気条件」という）。【０００４】
室外熱交換器にこの着霜現象が生じると、霜によって室外熱交換器の一部が塞がれてしまい、室外熱交換器を通過する際に空気に生じる通風抵抗が増加する。それにより室外熱交換器に流れ込む流入空気量が低下するため、結果として空気調和機の暖房能力が低下してしまうことがある。そこで、空気調和機では、例えば、別途設けられた加熱手段により室外熱交換器を加熱することにより、室外熱交換器に付着した霜を取り除く除霜運転を実施している。ただ、この除霜運転中は、霜を溶かすために暖房運転を休止する必要があり、除霜運転を行うことによって空調対象空間である室内における快適性が悪化するという問題があった。【０００５】
この問題を解決するために、室外熱交換器の表面に滑水性及び撥水性を向上させ着霜を抑制する着霜抑制層を設けることによって、低外気条件で発生する室外熱交換器に生じる着霜を抑制する方法が提案されている（例えば、特許文献１参照）。
【先行技術文献】
【特許文献】
【０００６】
【特許文献１】特開２００２−３２３２９８号公報（第４頁、図２）
【発明の概要】
【発明が解決しようとする課題】
【０００７】
しかしながら、上記の特許文献１に記載の着霜抑制技術を用いても、条件によっては室外熱交換器に着霜現象が発生するため、室外熱交換器の除霜は行わざるを得ない。【０００８】
本発明は、上記のような課題を解決するためになされたものであり、撥水・滑水処理を施した熱交換器を用いた蒸発器において、効果的に除霜を行うことができる冷凍サイクル装置を得ることを目的とする。
【課題を解決するための手段】
【０００９】
本発明に係る冷凍サイクル装置は、圧縮機、凝縮器、第１膨張手段及び熱交換器を有する蒸発器が冷媒配管によって接続されて冷凍サイクル回路を構成する冷凍サイクル装置であって、蒸発器の下方に配置されるドレンパンと、蒸発器に流れる気流を発生させる蒸発器用ファンと、伝熱フィンの下側で、且つ伝熱フィンの風下側の位置に配置された加熱部と、を備え、伝熱フィンには滑水又は撥水処理が施され、加熱部は、少なくとも一部が冷媒配管によって形成され、加熱部となる部分の冷媒配管には、伝熱フィンが並列配置された方向に配置された複数のフィン部が取り付けられている。
【発明の効果】
【００１０】
本発明によれば、滑水又は撥水処理を施した伝熱フィンを用いた蒸発器に生じる霜を効果的に除霜することができるので、蒸発器における着霜現象による通風抵抗増加による能力低下を抑制することができる。
【図面の簡単な説明】
【００１１】
【図１】本発明の実施の形態１に係る空気調和機の冷媒回路の構成図である。
【図２】本発明の実施の形態１に係る空気調和機における室外機熱交換器２５の構造及び着霜する状態を示す図である。
【図３】本発明の実施の形態１に係る空気調和機における室外機ユニット１２の構造の概略図である。
【図４】本発明の実施の形態１に係る空気調和機の低外気条件における暖房運転時のモリエル線図である。
【図５】本発明の実施の形態１に係る空気調和機の通常の暖房運転時のモリエル線図である。
【図６】本発明の実施の形態１に係る空気調和機の冷房運転時のモリエル線図である。
【図７】本発明の実施の形態２に係る空気調和機における室外機ユニット１２の構造の概略図である。
【図８】本発明の実施の形態３に係る空気調和機における室外機ユニット１２の構造の概略図である。
【図９】本発明の実施の形態４に係る空気調和機における室外機ユニット１２の構造の概略図である。
【図１０】本発明の実施の形態５に係る空気調和機における室外機熱交換器２５の構造図である。
【図１１】本発明の実施の形態５に係る空気調和機における室外機熱交換器２５の別形態の構造図である。
【図１２】本発明の実施の形態５に係る空気調和機における室外機熱交換器２５の別形態の構造図である。
【図１３】本発明の実施の形態６に係る空気調和機の冷媒回路の構成図である。
【図１４】本発明の実施の形態６に係る空気調和機の冷媒回路の別形態の構成図である。
【発明を実施するための形態】
【００１２】
実施の形態１．
（空気調和機の構成）
図１は、本発明の実施の形態１に係る空気調和機の冷媒回路の構成図である。なお、本発明は冷凍サイクル装置に係るものであるが、本実施の形態においては、冷凍サイクル装置の一つである空気調和機を例として説明する。
図１で示されるように、本実施の形態に係る空気調和機は、室内機ユニット１１及び室外機ユニット１２によって構成されている。
【００１３】
室内機ユニット１１は、室内機熱交換器２２及び室内機用ファン２３を備えている。室外機ユニット１２は、圧縮機２１、第１膨張手段２４、室外機熱交換器２５、室外機用ファン２６、四方弁２７、第２膨張手段２８及び加熱部５１を備えている。
【００１４】
このうち、圧縮機２１、四方弁２７、室内機熱交換器２２、第２膨張手段２８、加熱部５１、第１膨張手段２４、室外機熱交換器２５、四方弁２７、そして、圧縮機２１の順で冷媒配管によって接続されて冷凍サイクル回路が構成されている。この冷凍サイクル回路には、例えば、Ｒ４１０Ａ等の冷媒が循環して流れる。室内機ユニット１１及び室外機ユニット１２は、四方弁２７と室内機熱交換器２２とを接続する冷媒配管、及び、室内機熱交換器２２と第２膨張手段２８とを接続する冷媒配管によって物理的に接続されている。
【００１５】
圧縮機２１は、ガス冷媒を吸入し、圧縮して高温高圧の状態にして吐出するものである。
【００１６】
本実施の形態に係る空気調和機が暖房運転を実施する場合は、室内機熱交換器２２は放熱器として機能する。このとき、室内機用ファン２３により室内空気の一部を室内機熱交換器２２に通風させると、室内機熱交換器２２において熱交換が行われ、冷媒が室内空気を加熱することにより空調対象空間を暖房する。また、室外機熱交換器２５は蒸発器として機能する。室外機用ファン２６により外気の一部を室外機熱交換器２５に通風させると、室外機熱交換器２５において熱交換が行われ、外気が冷媒を加熱する。
【００１７】
一方、空気調和機が冷房運転を実施する場合は、室内機熱交換器２２は蒸発器として機能する。このとき、室内機用ファン２３により室内空気の一部を室内機熱交換器２２に通風させると、室内機熱交換器２２において熱交換が行われ、冷媒が室内空気を冷却することにより空調対象空間を冷房する。また、室外機熱交換器２５は、放熱器として機能する。室外機用ファン２６により外気の一部を室外機熱交換器２５に通風させると、室外機熱交換器２５において熱交換が行われ、外気が冷媒を冷却する。
【００１８】
第１膨張手段２４及び第２膨張手段２８は、冷媒を膨張及び減圧させるものである。
なお、図１で示されるように、室外機ユニット１２に接続される室内機ユニット１１は１台とし、第２膨張手段２８は、室外機ユニット１２に備えられる構成としているが、これに限定されるものではない。すなわち、室外機ユニット１２に接続される室内機ユニット１１は複数とし、それぞれ並列接続されるものとしてもよく、その場合、第２膨張手段２８は、室外機ユニット１２に備えられるのではなく、それぞれの室内機ユニット１１に備えられるものとしてもよい。
【００１９】
四方弁２７は、圧縮機２１から吐出された冷媒の流路を切り替えるものである。具体的には、四方弁２７は、本実施の形態に係る空気調和機が暖房運転を実施している場合、圧縮機２１から吐出された冷媒が室内機熱交換器２２に向かうように冷媒流路を切り替える。一方、空気調和機が冷房運転を実施している場合、圧縮機２１から吐出された冷媒が室外機熱交換器２５に向かうように冷媒流路を切り替える。
【００２０】
加熱部５１は、室外機熱交換器２５に発生した霜を融解させるものであり、その融解動作については後述する。
【００２１】
なお、室内機熱交換器２２、室外機熱交換器２５及び室外機用ファン２６は、それぞれ本発明の「凝縮器」、「蒸発器」及び「蒸発器用ファン」に相当する。
【００２２】
（室外機熱交換器２５の構造）
図２は、本発明の実施の形態１に係る空気調和機における室外機熱交換器２５の構造及び着霜する状態を示す図である。
図２で示されるように、本実施の形態に係る空気調和機における室外機熱交換器２５は、伝熱フィン４１及び伝熱管４６によって構成されたフィンチューブ型熱交換器である。
【００２３】
図２に示すように伝熱フィン４１は縦長のプレート形状の板で形成されており、例えば、アルミニウム等の材質によって形成され、その表面には滑水又は撥水処理が施されている。そして、この伝熱フィン４１は、気流に対して幅方向に複数並べられており、各プレート面は、互いに並行となるように一列に並べられている。この各伝熱フィン４１には、そのプレート面に垂直に複数の伝熱管４６が貫通して設けられている。この複数の伝熱管４６は、その内部を冷媒が流通するものであり、図示していないが、これらの伝熱管４６は、例えば互いに端部が直列に接続されて、その直列に接続された各伝熱管４６内を冷媒が流通して伝熱フィン４１を介して空気と冷媒との熱交換が実施される。上記のように、各伝熱フィン４１のプレート面が平行となるように一列に並べられ、各伝熱フィン４１のプレート面に垂直に複数の伝熱管４６が貫通し、その各伝熱管が互いに上記の態様で接続されたものを「熱交換ユニット」というものとする。本実施の形態における室外機熱交換器２５は、上記熱交換ユニットを気流に対して積層するように二つ並べて構成したものである。
【００２４】
なお、図２で示されるように、各伝熱管４６は、各伝熱フィン４１に対して垂直に貫通して形成されるものとしたが、特に垂直に貫通する構成に限定するものではない。
また、室外機熱交換器２５の構成について、熱交換ユニットを二つ並べて構成するものとしたが、これに限定されるものではなく、一つのみ又は三つ以上並べて構成されるものとしてよい。
【００２５】
（室外機熱交換器２５の着霜現象）
次に、図２を参照しながら、暖房運転時において発生する室外機熱交換器２５における着霜現象について説明する。
【００２６】
暖房運転中において、室外機用ファン２６（図２において図示せず）から送られてくる外気が、室外機熱交換器２５の伝熱フィン４１の風上側部分である風上部４２に衝突する。このとき、風上部４２の前縁効果によって室外機熱交換器２５を通風する外気と伝熱管４６内を流れる冷媒とが伝熱管４６及び伝熱フィン４１を介して熱交換される。ここで、室外機熱交換器２５は蒸発器として動作するので、室外機熱交換器２５を通風する外気は冷却される。特に室外機熱交換器２５の風上部４２において、外気の水分が積極的に凝縮され、伝熱フィン４１表面に凝縮水滴４３が発生する。伝熱フィン４１上の凝縮水滴４３は、その周囲に発生した別の凝縮水滴４３とまとまって徐々に大きくなっていき、凝縮水滴４３がある程度の大きさ（約数百μｍ）に到達すると、伝熱フィン４１から離れずに室外機用ファン２６による送風によって風下に向かってわずかに流されつつ、自重によって下方へ落下する。伝熱フィン４１の下端部であるフィン最下部４４においては、伝熱フィン４１表面の各位置から落下してきた凝縮水滴４３が集結する。
【００２７】
ここで、低外気条件においては、伝熱フィン４１の表面温度は氷点下（例えば−５℃）まで低下する。このとき、伝熱フィン４１上にある凝縮水滴４３は、本来であれば伝熱フィン４１の表面温度と等しい温度になるので凍結する。ただし、本実施の形態においては、伝熱フィン４１上の凝縮水滴４３は、伝熱フィン４１表面の滑水又は撥水処理によって伝熱フィン４１との接触面積が小さくなっているか、あるいは、滑水又は撥水処理による表面エネルギーの低下によって安定的状態となっているため、凍結まで至らずに過冷却状態を維持している。しかし、伝熱フィン４１の風下側で、かつフィン最下部４４に集結した凝縮水滴４３がさらに集まって大きくなると、フィン最下部４４から落下する。その際に凝縮水滴４３は不安定状態となるため、その過冷却状態が解除され、その結果、図２で示されるように、フィン最下部４４において氷結して霜となり、氷柱４５が生成されることになる。一度、室外機熱交換器２５に氷柱４５が形成されると、その後に落下してきた過冷却状態の凝縮水滴４３が氷柱４５に接すると過冷却状態が解除されて霜となる。これにより氷柱４５は成長を続けて増大していく。このように、室外機熱交換器２５の伝熱フィン４１に滑水又は撥水処理を施しても、伝熱フィン４１の風下側で、かつフィン最下部４４に氷柱４５が生成されてしまう。そして、一度、室外機熱交換器２５に着霜現象が発生してしまえば、やはり室外機熱交換器２５を通過する際の通風抵抗が増加して室外機熱交換器２５に流入する空気量が低下するため、空気調和機の段部能力が低下することになる。したがって、伝熱フィン４１に滑水又は撥水処理を施した室外機熱交換器２５であっても、室外機熱交換器２５には霜が発生しても氷柱４５とならない又は氷柱４５が成長しないように、氷柱４５を融解等させる必要がある。また、暖房運転を行いつつ、氷柱４５を融解等させることができれば、低外気条件において、暖房運転を継続することができる。
【００２８】
（室外機ユニット１２の構造）
以下、図３において、この氷柱４５を融解させるための室外機ユニット１２の構成について説明する。
図３は、本発明の実施の形態１に係る空気調和機における室外機ユニット１２の構造の概略図である。この図３は、室外機ユニット１２の背面図、底面図及び右側面図を示したものである。
図３で示されるように、室外機ユニット１２は、ユニットケース３３を筐体とし、その中に、図１において前述した圧縮機２１、第１膨張手段２４、室外機熱交換器２５、四方弁２７及び第２膨張手段２８が冷媒配管によって接続されて配置されている。また、室外機ユニット１２は、室外機用ファン２６、ドレンパン３１及び加熱部５１を備えている。
【００２９】
室外機用ファン２６は、室外機熱交換器２５の背面側に配置され、その回転駆動によって、室外機熱交換器２５に室外空気を送り込む。また、図３で示されるように、室外機用ファン２６の回転駆動によって、室外機熱交換器２５から室外機用ファン２６へ向かう方向に送風される。
なお、室外機用ファン２６の回転駆動による送風は、図３で示されるような室外機熱交換器２５から室外機用ファン２６へ向かう方向に限定されるものではなく、室外機用ファン２６から室外機熱交換器２５へ向かう方向でもよい。
【００３０】
ドレンパン３１は、ユニットケース３３内部の底面に配置されており、室外機熱交換器２５の下方にあたる位置に配置されている。ドレンパン３１は、室外機熱交換器２５が蒸発器として動作した場合に発生するドレン水を受け止め、一時的に貯留するものである。また、ドレンパン３１の最下点付近には、ドレンパン３１及びユニットケース３３の底面を貫通する、ドレン穴３２が形成されており、ドレンパン３１に貯留されたドレン水は、このドレン穴３２を介して室外機ユニット１２の外部に排出される。
なお、図３で示されるように、ドレンパン３１及びユニットケース３３の底面に設けられたドレン穴３２は１つだけ形成されているが、複数設けられる構成としてもよい。
【００３１】
加熱部５１は、室外機熱交換器２５のフィン最下部４４とドレンパン３１との間の空間に配置された冷媒配管である。また、加熱部５１は、熱交換ユニットが二列並べられて構成された室外機熱交換器２５のそれぞれの熱交換ユニットの直下かつ風下側に長手方向に沿って配置されるように、図３で示されるようなＵ字形状（以下、「１ターン」という）となるように配置構成されている。このように、加熱部５１を熱交換ユニットより下方に設けることにより、加熱部５１の存在によって室外機用ファン２６の送風が阻害される、室外機熱交換器２５の通風抵抗が増加することを抑制できる。また、加熱部５１は、前述の冷凍サイクルにおいて、第１膨張手段２４と第２膨張手段２８との間に位置するものであり、加熱部５１を構成する冷媒配管内には、圧縮機１の吐出圧力（高圧）と吸入圧力（低圧）との間あの中圧の冷媒が流れる。加熱部５１を流れる冷媒が中圧となる動作については、後述する。この中圧の冷媒は低外気条件でも０℃以上を維持し続けるので、加熱部５１は、伝熱フィン４１のフィン最下部４４の下方に配置されることにより、各伝熱フィン４１のフィン最下部４４且つ風下側に発生した氷柱４５を融解させることができる。
【００３２】
ここで、本実施の形態の加熱部５１は、ドレンパン３１に接しないように配置されている。これにより、ドレンパン３１自体を加熱するために必要な熱量が不要になるため、例えば運転状況によって加熱部５１の加熱をＯＮ−ＯＦＦできる構成にした場合、ＯＦＦからＯＮにしたときの温度上昇を早くすることができる。また、必要な熱量を抑制することができるので、省エネルギーにつながる。
【００３３】
また、加熱部５１は、室外機熱交換器２５と接しないように配置されている。これは、加熱部５１と室外機熱交換器２５が接していると、室外機熱交換器２５におけるフィン最下部４４付近のフィン温度が上昇し、室外機熱交換器２５と外気との間で行う熱交換量が減少してしまうためである。したがって、加熱部５１は、各伝熱フィン４１の風下側での室外機熱交換器２５のフィン最下部４４とドレンパン３１との間の空間に配置され、ドレンパン３１及びフィン最下部４４の双方に接触しないように配置させることが望ましい。
【００３４】
なお、図３のように、室外機熱交換器２５、加熱部５１及びドレンパン３１の位置関係は、前述したとおりであるが、その他の機器の図３で示される位置関係は例を示すものであり、図３の構成に限定されるものではない。
【００３５】
（低外気条件における暖房運転）
図４は、本発明の実施の形態１に係る空気調和機の低外気条件における暖房運転時のモリエル線図である。以下、図４を参照しながら、低外気条件における暖房運転の動作について説明する。
【００３６】
まず、暖房運転の際には、四方弁２７は、圧縮機２１から吐出された冷媒が室内機熱交換器２２へ向かうように冷媒流路が切り替えられているものとする。低温低圧のガス冷媒が圧縮機２１によって圧縮され、高温高圧状態となって吐出される。圧縮機２１から吐出された高温高圧の冷媒は、四方弁２７を経由して、室外機ユニット１２から流出する。室外機ユニット１２を流出した高温高圧の冷媒は、室内機ユニット１１に流入して、その中の室内機熱交換器２２に流入する。室内機熱交換器２２へ流入した高温高圧の冷媒は、室内機用ファン２３によって送り込まれる室内空気と熱交換して凝縮し、高圧の液冷媒となる。室内機熱交換器２２から流出した高圧の液冷媒は、室内機ユニット１１から流出する。室内機ユニット１１を流出した高圧の液冷媒は、再び室外機ユニット１２に流入する。室外機ユニット１２に流入した高圧の液冷媒は、第２膨張手段２８によって膨張されて、中圧まで減圧され、飽和温度が０℃以上（例えば、１０℃程度）となる温度にまで冷却される。そして、この中圧冷媒は、加熱部５１に流入し、この加熱部５１において、室外機熱交換器２５のフィン最下部４４に発生している氷柱４５に対して放熱し、融解させる。逆に、加熱部５１における中圧冷媒は、氷柱４５によって吸熱されて冷却される。このように、加熱部５１における冷媒は、室外機熱交換器２５で発生した霜である氷柱４５を融解させるために、第２膨張手段２８によって、少なくとも飽和温度が０℃以上（例えば、１０℃程度）となる温度に膨張される必要がある。また、氷柱４５が加熱部５１によって融解されてドレンパン３１に落下してドレン水となり、このドレン水は、ドレン穴３２から排水される。
【００３７】
加熱部５１を通過した中圧冷媒は、第１膨張手段２４によって、さらに膨張及び減圧され、低温低圧の気液二相冷媒（飽和温度が例えば−５℃）となる。この低温低圧の気液二相冷媒は、室外機熱交換器２５に流入する。室外機熱交換器２５へ流入した低温低圧の気液二相冷媒は、室外機用ファン２６によって送り込まれる室外空気と熱交換して蒸発し、低温低圧のガス冷媒となる。室外機熱交換器２５から流出した低温低圧のガス冷媒は、圧縮機２１へ吸入され、再び圧縮される。
【００３８】
（通常の暖房運転）
図５は、本発明の実施の形態１に係る空気調和機の通常の暖房運転時のモリエル線図である。ここで、「通常の暖房運転」とは、低外気条件でない場合における暖房運転を示すものとする。以下、図５を参照しながら、通常の暖房運転の動作について説明する。なお、前述の図４で説明した低外気条件における暖房運転の動作と相違する点を中心に説明する。
【００３９】
低温低圧のガス冷媒が圧縮機２１によって圧縮される動作から、第２膨張手段２８によって膨張されて、中圧まで減圧される動作までは、図４で示される動作と同様である。通常の暖房運転においては、室外機熱交換器２５に霜である氷柱４５は発生しないので、加熱部５１における放熱量は少ない。また、加熱部５１が風の流れが少ない室外機熱交換器２５より下に設けられているので、対流によって加熱部５１からの放熱が促されることも抑制されている。
【００４０】
加熱部５１を通過した中圧冷媒は、第１膨張手段２４によって、さらに膨張及び減圧され、低温低圧の気液二相冷媒（飽和温度が例えば２℃）となる。この低温低圧の気液二相冷媒は、室外機熱交換器２５に流入する。室外機熱交換器２５へ流入した低温低圧の気液二相冷媒は、室外機用ファン２６によって送り込まれる室外空気と熱交換して蒸発し、低温低圧のガス冷媒となる。室外機熱交換器２５から流出した低温低圧のガス冷媒は、圧縮機２１へ吸入され、再び圧縮される。
【００４１】
（冷房運転）
図６は、本発明の実施の形態１に係る空気調和機の冷房運転時のモリエル線図である。以下、図６を参照しながら、冷房運転の動作について説明する。
【００４２】
まず、冷房運転の際には、四方弁２７は、圧縮機２１から吐出された冷媒が室外機熱交換器２５へ向かうように冷媒流路が切り替えられているものとする。低温低圧のガス冷媒が圧縮機２１によって圧縮され、高温高圧状態となって吐出される。圧縮機２１から吐出された高温高圧の冷媒は、四方弁２７を経由して、室外機熱交換器２５へ流入する。室外機熱交換器２５へ流入した高温高圧の冷媒は、室外機用ファン２６によって送り込まれる室外空気と熱交換して凝縮し、高圧の液冷媒となる。室外機熱交換器２５から流出した高圧の液冷媒は、第１膨張手段２４を通過するが、この際、第１膨張手段２４の開度を極力増大させて、第１膨張手段２４による膨張及び減圧を避ける。そして、第１膨張手段２４を通過した冷媒は、加熱部５１に流入する。このようにすることで、加熱部５１が室外機熱交換器２５から吸熱することなく、室内機熱交換器２２における能力は加熱部５１が配置されることにより低減しない。
【００４３】
加熱部５１を通過した冷媒は、第２膨張手段２８によって、膨張及び減圧され、低温低圧の気液二相冷媒（飽和温度が例えば１８℃）となる。この低温低圧の気液二相冷媒は、室内機熱交換器２２に流入する。室内機熱交換器２２へ流入した低温低圧の気液二相冷媒は、室内機用ファン２３によって送り込まれる室内空気と熱交換して蒸発し、低温低圧のガス冷媒となる。室内機熱交換器２２から流出した低温低圧のガス冷媒は、圧縮機２１へ吸入され、再び圧縮される。
【００４４】
（実施の形態１の効果）
以上の構成のように、０℃以上の中圧冷媒が流れる加熱部５１を、フィン最下部４４とドレンパン３１との間に配置することによって、例えば、低外気条件における暖房運転において、着霜による氷柱４５等が発生しやすい室外機熱交換器２５の伝熱フィン４１のフィン最下部４４等の位置における加熱を効率的に行い、氷柱４５の発生等を抑制することができる。また、氷柱４５が発生しても、融解させることができるので、氷柱４５の成長等を防ぐことができる。このため、室外機熱交換器２５における着霜現象による通風抵抗増加による暖房能力低下を抑制することができる。
【００４５】
また、冷房運転においては、加熱部５１の両端側に存在する膨張手段のうち、上流側の膨張手段である第１膨張手段２４による膨張効果を抑制することによって、加熱部５１が室外機熱交換器２５から吸熱することなく、室内機熱交換器２２における能力の低減を抑制することができる。
【００４６】
さらに、低外気条件以外の暖房運転及び冷房運転においても、従来の空気調和機と同等の性能を維持することができる。
【００４７】
なお、本実施の形態の空気調和装置では、常に加熱部５１に中圧冷媒を流すことにより室外機熱交換器２５に着霜させないようにする、又は氷柱４５が発生しても融解させるようにしているが、例えば別途除霜運転を行うようにしてもよい。この場合、本実施の形態の加熱部５１を除霜運転による除霜動作の補助的な役割として用いてもよいし、加熱部５１に冷媒が流れるのを回避する回避用冷媒配管を設け、除霜運転時だけ加熱部５１に冷媒を流すようにしてもよい。このように除霜運転を行う場合においても、本実施の形態の冷凍サイクル装置においては、除霜運転回数、運転時間等の低減をはかり、効率的な除霜を行うことができる。
【００４８】
また、図３で示されるように、加熱部５１を１ターンによって形成するものとしたが、これに限定されるものではなく、例えば、室外機熱交換器２５のフィン最下部４４における霜の量に応じて、加熱部５１を、ターン形状ではない１本の冷媒配管、２ターン以上、又は、１ターン半（Ｓ字形状）等の形状としてもよい。また、加熱部５１内の冷媒量又は冷媒の圧力損失を考慮した場合、加熱部５１を１ターン又は２ターンのように直列形状とするのではなく、例えば、室外機熱交換器２５を構成する複数の熱交換ユニットごとに対応するように、加熱部５１を並列分岐して形成するものとしてもよい。このようにしても、上記のような効果を奏することができる。
【００４９】
また、図１で示されるように、本実施の形態に係る空気調和機は、四方弁２７を備え、暖房運転及び冷房運転のいずれかの運転を切り替えて実施することができるものとしているが、これに限定されるものではない。すなわち、室外機ユニット１２に四方弁２７を備えないものとし、室内機熱交換器２２を放熱器、そして、室外機熱交換器２５を蒸発器として固定的に機能させるものとしてもよい。
【００５０】
また、本実施の形態においては冷凍サイクル装置の一つとして空気調和機を例に説明したがこれに限定されるものではない。すなわち、上記の構成及び動作は、空気調和機の他、ヒートポンプ式給湯器又は冷却装置等のその他の冷凍サイクル装置にも適用することができる。これは、以下の実施の形態についても同様である。
【００５１】
また、加熱部５１は、中圧冷媒が流通する冷媒配管としたが、これに限定されるものではなく、ヒーター等の発熱装置としてもよく、又は、組み合わせて構成してもよい。この構成によっても、前述したことと同様に、室外機熱交換器２５の伝熱フィン４１のフィン最下部４４に発生した氷柱４５を融解させ、かつ、着霜を抑制することができ、室外機熱交換器２５における着霜現象による通風抵抗増加による暖房能力低下を抑制することができる。また、この場合、低外気条件が充足していることを検出できる低外気検出手段（図示せず）を備えるものとし、この低外気検出手段によって、低外気条件が充足していることが検出された場合に、ヒーター等の発熱装置を駆動させるものとすればよい。
【００５２】
実施の形態２．
本実施の形態に係る空気調和機について、実施の形態１に係る空気調和機と相違する点を中心に説明する。
【００５３】
（室外機ユニット１２の構造）
図７は、本発明の実施の形態２に係る空気調和機における室外機ユニット１２の構造の概略図である。この図７は、室外機ユニット１２の背面図、底面図及び右側面図を示したものである。なお、この図７においては、加熱部５１の形状及び配置等を説明することを中心とするものであり、その他の冷凍サイクルを構成する冷媒配管及び機器は一部略して記載してある。この記載が略された部分は、基本的に、図３で示される実施の形態１に係る室外機ユニット１２と同様である。
【００５４】
室外機熱交換器２５は、実施の形態１に係る室外機ユニット１２の室外機熱交換器２５とは異なり、滑水又は撥水処理が施された１つの熱交換ユニットによって構成されている。
【００５５】
室外機用ファン２６は、その回転駆動によって、室外機熱交換器２５から室外機用ファン２６へ向かう方向に送風する。
【００５６】
加熱部５１は、室外機熱交換器２５と室外機用ファン２６との間、かつ、室外機熱交換器２５のフィン最下部４４近傍に設置される。すなわち、加熱部５１は、室外機熱交換器２５のフィン最下部４４に対して、風下側に配置されることになる。加熱部５１を、フィン最下部４４の近傍、かつ、風下側に配置するのは、室外機熱交換器２５の熱交換性能の低減を抑制するためである。
なお、室外機熱交換器２５の通風抵抗を低減させるために、加熱部５１のターン数は少ない方がよい。したがって、加熱部５１は、１ターン、又は、ターン形状ではない１本の冷媒配管とするのが望ましい。
【００５７】
（室外機熱交換器２５の着霜現象）
次に、図２を参照しながら、暖房運転において発生する室外機熱交換器２５における着霜現象について説明する。
【００５８】
前述したように、滑水又は撥水処理した室外機熱交換器２５では、凝縮水滴４３の落下により霜である氷柱４５が生じる。このとき、室外機熱交換器２５の滑水又は撥水処理の作用によっては、室外機用ファン２６の吸い込み効果によって、自重落下しながら凝縮水滴４３が風下側に移動する現象が強くなる場合がある。この場合、伝熱フィン４１のフィン最下部４４の風下側に氷柱４５が集中して発生する。また、凝縮水滴４３が伝熱フィン４１間でブリッジを形成して凍結した場合、室外機熱交換器２５の通風抵抗が増加して能力低下が生じる。そこで、除霜運転を実施すると、滑水又は撥水処理を施した室外機熱交換器２５においては、凍結した凝縮水滴４３が完全融解する前に滑落する。この滑落した完全融解していない凝縮水滴４３は、室外機用ファン２６の吸い込み効果によって、フィン最下部４４の風下側に残り、氷柱４５が集中して成長することになる。以上のように、伝熱フィン４１のフィン最下部４４の風下側に集中して発生及び成長した氷柱４５は、室外機用ファン２６の近傍まで成長することがあり、その回転駆動に影響を与える。
【００５９】
しかし、前述のように、加熱部５１が、室外機熱交換器２５と室外機用ファン２６との間、かつ、室外機熱交換器２５のフィン最下部４４近傍に設置されているので、氷柱４５の発生を抑制等することができる。
【００６０】
（実施の形態２の効果）
以上の構成のように、室外機熱交換器２５が滑水又は撥水処理が施された１つの熱交換ユニットで構成されており、加熱部５１を、室外機熱交換器２５と室外機用ファン２６との間、かつ、室外機熱交換器２５のフィン最下部４４近傍に設置することによって、フィン最下部４４の風下側に集中して発生した氷柱４５を融解させ、かつ、フィン最下部４４における着霜を抑制することができる。これによって、室外機熱交換器２５における着霜現象による通風抵抗増加による暖房能力低下を抑制することができる。
【００６１】
また、加熱部５１が、室外機熱交換器２５と室外機用ファン２６との間、かつ、室外機熱交換器２５のフィン最下部４４近傍に設置し、室外機熱交換器２５に対して風下側に配置することによって、氷柱４５の発生を抑制することができる。また、氷柱４５が発生しても加熱部が氷柱４５を融解することで、室外機用ファン２６まで成長することがないので、室外機用ファン２６の回転を阻害等することなく、安全に駆動させることができる。
【００６２】
実施の形態３．
本実施の形態に係る空気調和機について、実施の形態１に係る空気調和機と相違する点を中心に説明する。
【００６３】
（室外機ユニット１２の構造）
図８は、本発明の実施の形態３に係る空気調和機における室外機ユニット１２の構造の概略図である。この図８は、室外機ユニット１２の背面図、底面図及び右側面図を示したものである。なお、この図８においては、加熱部５１の形状及び配置等を説明することを中心とするものであり、その他の冷凍サイクルを構成する冷媒配管及び機器は一部略して記載してある。この記載が略された部分は、基本的に、図３で示される実施の形態１に係る室外機ユニット１２と同様である。
【００６４】
図８で示されるように、本実施の形態に係る空気調和機の室外機ユニット１２は、ドレンパン３１において、室外機熱交換器２５の直下に位置する部分に溝６１が形成されている。また、この溝６１及びユニットケース３３の底面を貫通して、少なくとも１箇所、ドレン穴３２が形成されており、溝６１に貯留されたドレン水は、このドレン穴３２を介して外部に排出される。
なお、ドレン穴３２については、ドレンパン３１における溝６１だけでなく、ドレンパン３１上のその他の部分にも設けるようにしてもよい。
【００６５】
室外機用ファン２６は、その回転駆動によって、室外機熱交換器２５から室外機用ファン２６へ向かう方向に送風する。
なお、室外機用ファン２６の回転駆動による送風は、図８で示されるような室外機熱交換器２５から室外機用ファン２６へ向かう方向に限定されるものではなく、室外機用ファン２６から室外機熱交換器２５へ向かう方向でもよい。
【００６６】
加熱部５１は、前述の溝６１内に設置されており、この溝６１の内面に接することなく収容されている。これによって、加熱部５１の存在によって室外機用ファン２６の送風が阻害される影響をなくし、室外機熱交換器２５の通風抵抗の低減を抑制できる。
なお、加熱部５１は、その全体が溝６１内に収容されることに限定されるものではなく、例えば、加熱部５１を構成する冷媒配管の１本又は１ターンが溝６１の開口面より上部に出ていてもよい。
【００６７】
溝６１の幅は、室外機熱交換器２５の幅と同等、または、やや広くなっており、また、溝６１の長手方向の長さは、室外機熱交換器２５の長手方向の長さと同等とする。
【００６８】
（室外機熱交換器２５の着霜現象）
次に、図２及び本実施の形態の図８を参照しながら、暖房運転において発生する室外機熱交換器２５及びドレンパン３１における着霜現象について説明する。
【００６９】
前述したように、滑水又は撥水処理した室外機熱交換器２５では、凝縮水滴４３の落下によりフィン最下部４４において霜である氷柱４５が生じる。このとき、伝熱フィン４１を落下してきた過冷却状態の凝縮水滴４３は氷柱４５に接すると過冷却状態が解除されるが、氷柱４５の影響を受けないフィン最下部４４の位置から落下した凝縮水滴４３はドレンパン３１上で過冷却解除され凍結する。このドレンパン３１上で凍結したものが、室外機熱交換器２５まで成長すると、ドレンパン３１上で氷塊となり、室外機熱交換器２５の通風抵抗が増加することになる。
【００７０】
しかし、本実施の形態に係る室外機ユニット１２においては、前述のような態様で溝６１が形成され、その中に加熱部５１が収容された構成を採用しているので、上記のようにフィン最下部４４に氷柱４５が発生しても、加熱部５１によって融解され、ドレン水として溝６１内に貯留される。そして、所定量以上のドレン水が溝６１内に貯留された場合、加熱部５１には０℃以上の中圧冷媒が流れていることにより、溝６１内にてドレン水が凍結せず、０℃以上の状態が維持される。これによって、安定してドレン水の処理が可能となる。また、凝縮水滴４３が溝６１に落下しても凍結せず、ドレンパン３１上における氷塊の発生を抑制することができる。そして、この氷塊による室外機熱交換器２５の通風抵抗の増加を抑制することができる。
【００７１】
（実施の形態３の効果）
以上の構成のように、室外機熱交換器２５の直下に溝６１を形成し、その溝６１の中に加熱部５１を収容させる構成とすることによって、フィン最下部４４に発生した氷柱４５を融解させるのはもちろんのこと、その融解したドレン水を０℃以上に維持して安定的に処理することができる。
【００７２】
また、過冷却解除がなされた凝縮水滴４３がフィン最下部４４からドレンパン３１に落下しても、０℃以上のドレン水が貯留された溝６１に落下するので、凝縮水滴４３は凍結せず、ドレンパン３１上における氷塊の発生を抑制することができる。ひいては、この氷塊による室外機熱交換器２５の通風抵抗の増加を抑制することができる。
【００７３】
実施の形態４．
本実施の形態に係る空気調和機について、実施の形態１に係る空気調和機と相違する点を中心に説明する。
【００７４】
（室外機ユニット１２の構造）
図９は、本発明の実施の形態４に係る空気調和機における室外機ユニット１２の構造の概略図である。この図９は、室外機ユニット１２の背面図、底面図及び右側面図を示したものである。なお、この図９においては、加熱部５１の形状及び配置等を説明することを中心とするものであり、その他の冷凍サイクルを構成する冷媒配管及び機器は一部略して記載してある。この記載が略された部分は、基本的に、図３で示される実施の形態１に係る室外機ユニット１２と同様である。
【００７５】
図９で示されるように、本実施の形態に係る空気調和機の室外機ユニット１２は、ドレンパン３１において、滑水又は撥水処が施された室外機熱交換器２５の風下部分から室外機用ファン２６の直下部にかけて、段差７１が形成されている。また、この段差７１及びユニットケース３３の底面を貫通して、少なくとも１箇所に、ドレン穴３２が形成されており、段差７１に貯留されたドレン水は、このドレン穴３２を介して外部に排出される。
なお、ドレン穴３２については、ドレンパン３１における段差７１だけでなく、ドレンパン３１上のその他の部分にも設けるようにしてもよい。
【００７６】
室外機用ファン２６は、その回転駆動によって、室外機熱交換器２５から室外機用ファン２６へ向かう方向に送風する。
【００７７】
加熱部５１は、前述の段差７１内に設置されており、この段差７１の内面に接することなく収容されている。収容される冷媒配管は１本又は１ターン以上のものが収容されている。これによって、加熱部５１の存在によって室外機用ファン２６の送風が阻害される影響をなくし、室外機熱交換器２５の通風抵抗の増加を抑制できる。また、この段差７１内に加熱部５１として１ターン以上の冷媒配管が収容される場合、ターンを構成する各冷媒配管の並び方向が室外機用ファン２６の送風方向と平行となるように配置すると、加熱部５１全体を段差７１内に収容しやすくなり、室外機熱交換器２５の通風抵抗の低減効果がより高まる。また、実施の形態１又は実施の形態３においては、室外機熱交換器２５の下部に設置するものとしていたが、本実施の形態においては、室外機用ファン２６の下部に配置するものとしている。
なお、加熱部５１は、その全体が段差７１内に収容されているものに限定しなくてもよい。例えば、加熱部５１を構成する冷媒配管の１本又は１ターンが段差７１の開口面より上部に出ていてもよい。
【００７８】
段差７１は、その長手方向の長さが、室外機熱交換器２５の長手方向の長さと同等としている。また、段差７１は、凝縮水滴４３が落下したドレン水を段差７１内部に誘導するために、図９で示されるように、室外機熱交換器２５の風下部分から室外機用ファン２６へ向かう方向に連続的に深さが大きくなるように、すなわち、スロープ形状に形成されている。
【００７９】
（実施の形態４の効果）
以上の構成のように、室外機熱交換器２５の風下部分から室外機用ファン２６の直下部にかけてスロープ形状を有する段差７１を形成し、その段差７１の中に加熱部５１を収容させる構成とすることによって、実施の形態２で説明したような、フィン最下部４４の風下側で室外機用ファン２６の近傍まで成長するような氷柱４５を融解させることができ、かつ、氷柱４５の成長を抑制することができる。また、段差７１をスロープ形状としていることによって、室外機熱交換器２５のフィン最下部４４から落下した凝縮水滴４３であるドレン水を段差７１内部に誘導することができ、安定的にドレン水を処理することができる。
【００８０】
また、加熱部５１を段差７１内に収容させることによって、室外機用ファン２６の回転駆動による室外機熱交換器２５における通風抵抗を低減することができる。
【００８１】
さらに、段差７１内に所定量の０℃以上のドレン水が貯留されることによって、実施の形態３で説明したような、フィン最下部４４から落下した過冷却状態の凝縮水滴４３を、段差７１のスロープによって段差７１内部に誘導することができるので、凝縮水滴４３の落下後の凍結を防止することができる。
【００８２】
実施の形態５．
本実施の形態に係る空気調和機について、実施の形態１に係る空気調和機と相違する点を中心に説明する。
【００８３】
（室外機熱交換器２５の構造）
図１０は、本発明の実施の形態５に係る空気調和機における室外機熱交換器２５の構造図である。
図１０で示されるように、本実施の形態に係る室外機熱交換器２５は、実施の形態１に係る室外機熱交換器２５と異なり、滑水又は撥水処理が施された一つの熱交換ユニットによって構成されている。また、室外機用ファン２６（図示せず）の配置は、実施の形態１に係る室外機ユニット１２と同様であり、その回転駆動によって、室外機熱交換器２５から室外機用ファン２６へ向かう方向に送風される。また、室外機熱交換器２５は、この熱交換ユニットを構成する伝熱フィン４１及び伝熱管４６に加え、加熱部５１を有する融解部８１が、室外機熱交換器２５と室外機用ファン２６との間、かつ、室外機熱交換器２５のフィン最下部４４近傍に設置される。すなわち、融解部８１は、室外機熱交換器２５の風下側に配置されることになる。融解部８１を、フィン最下部４４の近傍、かつ、風下側に配置するのは、室外機熱交換器２５の熱交換性能の低減を抑制するためである。また、融解部８１は、冷媒配管である加熱部５１に、室外機熱交換器２５と同様に、加熱部５１の長手方向に並列に配置されたフィン部を複数取り付けられたものである。
【００８４】
（実施の形態５の効果）
以上の構成のように、冷媒配管である加熱部５１にフィン部を複数取り付けられた融解部８１を、室外機熱交換器２５と室外機用ファン２６との間、かつ、室外機熱交換器２５のフィン最下部４４近傍（室外機熱交換器２５の風下側に配置）することによって、室外機熱交換器２５のフィン最下部４４に生じる霜である氷柱４５の発生を抑制する又は発生した氷柱４５を融解する効果、及び、フィン最下部４４における着霜を抑制する効果を増大させることができる。
【００８５】
また、融解部８１が、室外機熱交換器２５と室外機用ファン２６との間、かつ、室外機熱交換器２５のフィン最下部４４近傍に設置し、室外機熱交換器２５に対して風下側に配置することによって、氷柱４５の発生を抑制することができる。また、氷柱４５が発生しても加熱部が氷柱４５を融解することで、室外機用ファン２６まで成長することがないので、室外機用ファン２６の回転を阻害等することなく、安全に駆動させることができる。
【００８６】
なお、図１１で示されるように、融解部８１における加熱部５１に設置されたフィン部を、室外機熱交換器２５の伝熱フィン４１間に入り込むように構成するものとしてもよい。また、図１２で示されるように、融解部８１における加熱部５１に設置されたフィン部に切欠部を形成し、最下段の伝熱管４６がこの切欠部に入り込むように融解部８１を設置する構成としてもよい。これによって、室外機熱交換器２５のフィン最下部４４に生じる霜を融解する効果をさらに増大させることができる。
【００８７】
実施の形態６．
本実施の形態に係る空気調和機について、実施の形態１に係る空気調和機と相違する点を中心に説明する。
【００８８】
（空気調和機の構成）
図１３は、本発明の実施の形態６に係る空気調和機の冷媒回路の構成図である。
実施の形態１に係る空気調和機においては、第１膨張手段２４と第２膨張手段２８との間の冷媒配管を加熱部５１として利用したが、本実施の形態においては、第１逆止弁１０１及び第２逆止弁１０２を用いて、加熱部５１を構成している。具体的には、本実施の形態に係る空気調和機は、第２膨張手段２８を備えておらず、室内機熱交換器２２と第１膨張手段２４とが接続されている。また、室外機ユニット１２内において、第１膨張手段２４と室内機熱交換器２２とを接続する冷媒配管に第１逆止弁１０１が設置されている。また、第１逆止弁１０１と室内機熱交換器２２とを接続する冷媒配管から分岐した冷媒配管が、第２逆止弁１０２を経由して、加熱部５１を構成する冷媒配管に接続され、加熱部５１の他端が、第１膨張手段２４と第１逆止弁１０１とを接続する冷媒配管に接続されている。
【００８９】
また、第１逆止弁１０１は、第１膨張手段２４から室内機熱交換器２２へ向かう方向のみに冷媒を流すものであり、第２逆止弁１０２は、前述の分岐点から加熱部５１へ向かう方向のみに冷媒を流すものである。
【００９０】
（実施の形態６の効果）
以上のような図１３で示される構成において、低外気条件において暖房運転が実施されている場合、室内機熱交換器２２を流出した高圧冷媒が、第１逆止弁１０１を経由して加熱部５１を流通することになるので、室外機熱交換器２５に発生した霜を融解させ、かつ、室外機熱交換器２５の着霜を抑制することができる。
【００９１】
なお、図１４は、本実施の形態に係る空気調和機の冷媒回路の別形態の構成図を示すものであり、開閉弁１１１及びホットガスバイパス配管１１２を用いて、加熱部５１を構成しているものである。具体的には、実施の形態１に係る空気調和機におけるような第２膨張手段２８は備えておらず、室内機熱交換器２２と第１膨張手段２４とが接続されている。室外機ユニット１２内において、圧縮機２１の吐出側の冷媒配管から分岐し、室内機熱交換器２２と第１膨張手段２４とを接続する冷媒配管に接続されるホットガスバイパス配管１１２の一部によって加熱部５１が形成されている。また、このホットガスバイパス配管１１２には、開閉弁１１１が設置されている。この図１４で示される構成においては、低外気条件において暖房運転が実施されている場合、圧縮機２１から吐出されたガス冷媒（ホットガス）を、開閉弁１１１を経由して加熱部５１に流すことができるので、室外機熱交換器２５に発生した霜を融解させることができる。また、低外気条件以外の暖房運転及び冷房運転等のように、加熱部５１による融解動作が必要ない場合には、開閉弁１１１を閉状態とすればよい。
【００９２】
また、図１３又は図１４で示される本実施の形態に係る空気調和機の構成は、実施の形態１〜実施の形態５に適用することが可能である。
【００９３】
また、加熱部５１の配置について、実施の形態１〜実施の形態５においてそれぞれ説明してきたが、各実施の形態で示された位置にのみ配置することに限定されるものではない。すなわち、加熱部５１の配置について、実施の形態１又は実施の形態３と、実施の形態２又は実施の形態５とを組合せて配置してもよい。また、上記の組合せ又は各実施の形態と、実施の形態４とを組合せて配置してもよい。
【００９４】
なお、一般の空気調和機においては、冷媒としてＲ４１０Ａが使用されているが、図１４で示される構成においては、冷媒のホットガスを利用して加熱することから、Ｒ４１０Ａに対してガス比熱比の高い例えばＲ３２等の冷媒は、本発明の効果を得るのに有効である。またＲ３２に対してＨＦＯ１２３４ｙｆを混合した冷媒も、比熱比がＲ４１０Ａに対して高いので本発明の効果を得るのに有効である。
【符号の説明】
【００９５】
１１  室内機ユニット、１２  室外機ユニット、２１  圧縮機、２２  室内機熱交換器、２３  室内機用ファン、２４  第１膨張手段、２５  室外機熱交換器、２６  室外機用ファン、２７  四方弁、２８  第２膨張手段、３１  ドレンパン、３２  ドレン穴、３３  ユニットケース、４１  伝熱フィン、４２  風上部、４３  凝縮水滴、４４  フィン最下部、４５  氷柱、４６  伝熱管、５１  加熱部、６１  溝、７１  段差、８１  融解部、１０１  第１逆止弁、１０２  第２逆止弁、１１１  開閉弁、１１２  ホットガスバイパス配管。
【図１】
0005619295.tif 000002
【図２】
0005619295.tif 000003
【図３】
0005619295.tif 000004
【図４】
0005619295.tif 000005
【図５】
0005619295.tif 000006
【図６】
0005619295.tif 000007
【図７】
0005619295.tif 000008
【図８】
0005619295.tif 000009
【図９】
0005619295.tif 000010
【図１０】
0005619295.tif 000011
【図１１】
0005619295.tif 000012
【図１２】
0005619295.tif 000013
【図１３】
0005619295.tif 000014
【図１４】
0005619295.tif 000015